【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
回転支持部および内側ウェブを含む中心部と、
歯が成形された環状のリム部および外側ウェブを含む周辺部と、を有し、
前記内側ウェブの一部を前記外側ウェブの一部が挟持しており、前記外側ウェブの前記一部の外面は、前記外側ウェブの厚さが前記回転支持部から前記リム部に向かう方向に沿って増大している、
ことを特徴とする歯車。
【請求項２】
前記外側ウェブの前記一部の外面は、前記歯車の回転軸と垂直な方向に対して０．５度以上５度以下の角度で傾斜している、
ことを特徴とする請求項１に記載の歯車。
【請求項３】
前記外側ウェブの前記一部の外面は、等高線が前記歯車の回転軸を中心とする円になる面である、
ことを特徴とする請求項１または２に記載の歯車。
【請求項４】
前記外側ウェブの前記一部の外面は、前記回転支持部から前記リム部に向かって厚さが増大するように傾斜した複数の平面を含む、
ことを特徴とする請求項１乃至３の中のいずれか１項に記載の歯車。
【請求項５】
前記周辺部には、前記外側ウェブの前記一部と前記リム部の間に環状の溝が配置されている、
ことを特徴とする請求項１乃至４の中のいずれか１項に記載の歯車。
【請求項６】
前記外側ウェブの前記一部には、前記周辺部を射出成形したゲート痕が形成されている、
ことを特徴とする請求項１乃至５の中のいずれか１項に記載の歯車。
【請求項７】
前記周辺部は、前記中心部とは異なる材料からなる、
ことを特徴とする請求項１乃至６の中のいずれか１項に記載の歯車。
【請求項８】
回転支持部および内側ウェブを含む中心部と、歯が成形された環状のリム部および外側ウェブを含む周辺部とを有し、前記内側ウェブの一部を前記外側ウェブの一部が挟持する歯車を成形するための射出成形金型であって、
前記中心部を成形するためのキャビティと、前記周辺部を成形するためのキャビティと、を構成可能な固定側型と可動側型を有し、
前記固定側型は、前記内側ウェブの前記一部を成形するためのスライド駒を含み、
前記可動側型は、前記外側ウェブの前記一部を成形するための移動駒を含み、
前記中心部を成形するためのキャビティを構成する時には、前記スライド駒の底面と前記移動駒の上面を当接させるが、前記スライド駒の底面と前記移動駒の上面は、前記スライド駒のスライド方向に対して傾斜している、
ことを特徴とする射出成形金型。
【請求項９】
前記スライド駒の底面と前記移動駒の上面は、前記スライド方向に対して０．５度以上５度以下傾斜している、
ことを特徴とする請求項８に記載の射出成型金型。
【請求項１０】
前記スライド駒の前記底面と前記移動駒の前記上面は、等高線が前記回転支持部の回転軸を中心とする同心円となるように傾斜した面である、
ことを特徴とする請求項８または９に記載の射出成形金型。
【請求項１１】
前記スライド駒の前記底面と前記移動駒の前記上面は、傾斜方向が異なる複数の平面を含む、
ことを特徴とする請求項８または９に記載の射出成形金型。
【請求項１２】
前記周辺部を成形するためのキャビティは、前記外側ウェブの前記一部と前記リム部の間に環状の溝を成形するキャビティである、
ことを特徴とする請求項８乃至１１の中のいずれか１項に記載の射出成形金型。
【請求項１３】
前記周辺部を成形するためのキャビティには、前記外側ウェブを成形する部位にゲートが配置され、前記ゲートから樹脂材料を射出する、
ことを特徴とする請求項８乃至１２の中のいずれか１項に記載の射出成形金型。
【請求項１４】
前記周辺部は、前記中心部とは異なる材料からなる、
ことを特徴とする請求項８乃至１３の中のいずれか１項に記載の射出成型金型。
【請求項１５】
歯車の中心部を射出成形するためのキャビティと、前記歯車の周辺部を射出成形するためのキャビティと、を構成可能な固定側型と可動側型を有し、前記固定側型は前記歯車の内側ウェブの一部を成形するためのスライド駒を含み、前記可動側型は前記歯車の外側ウェブの一部を成形するための移動駒を含む射出成形金型を用いた歯車の製造方法であって、
前記スライド駒の底面と前記移動駒の上面を前記スライド駒のスライド方向に対して傾斜した面とし、前記スライド駒の底面と前記移動駒の上面を当接させて前記中心部を成形するためのキャビティを構成し、
第１のゲートから第１の材料を射出して前記中心部を成形し、
前記スライド駒を前記スライド方向にスライドさせて前記スライド駒の底面と前記移動駒の上面を離間させ、
前記中心部を保持した状態の前記可動側型を、前記周辺部を成形するためのキャビティを構成する位置に移動させてキャビティを構成し、
第２のゲートから第２の材料を射出して前記周辺部を成形する、
ことを特徴とする歯車の製造方法。
【請求項１６】
前記傾斜した面は、前記スライド方向に対して０．５度以上５度以下傾斜している、
ことを特徴とする請求項１５に記載の歯車の製造方法。
【請求項１７】
前記中心部を成形するためのキャビティを構成する時には、前記スライド駒の底面と前記移動駒の上面は、等高線が同心円となるように傾斜した面に沿って当接している、
ことを特徴とする請求項１５または１６に記載の歯車の製造方法。
【請求項１８】
前記中心部を成形するためのキャビティを構成する時には、前記スライド駒の底面と前記移動駒の上面は、傾斜方向が異なる複数の平面に沿って当接している、
ことを特徴とする請求項１５または１６に記載の歯車の製造方法。
【請求項１９】
前記周辺部を成形するためのキャビティは、前記歯車の前記外側ウェブとリム部の間に環状の溝を成形するキャビティである、
ことを特徴とする請求項１５乃至１８の中のいずれか１項に記載の歯車の製造方法。
【請求項２０】
前記第２のゲートは、前記外側ウェブを成形する部位に配置されている、
ことを特徴とする請求項１５乃至１９の中のいずれか１項に記載の歯車の製造方法。
【請求項２１】
前記第２の材料は、前記第１の材料とは異なる、
ことを特徴とする請求項１５乃至２０の中のいずれか１項に記載の歯車の製造方法。
【手続補正２】
【補正対象書類名】明細書
【補正対象項目名】００２１
【補正方法】変更
【補正の内容】
【００２１】
本発明は、回転支持部および内側ウェブを含む中心部と、歯が成形された環状のリム部および外側ウェブを含む周辺部と、を有し、前記内側ウェブの一部を前記外側ウェブの一部が挟持しており、前記外側ウェブの前記一部の外面は、前記外側ウェブの厚さが前記回転支持部から前記リム部に向かう方向に沿って増大している、ことを特徴とする歯車である。
【手続補正３】
【補正対象書類名】明細書
【補正対象項目名】００２２
【補正方法】変更
【補正の内容】
【００２２】
また、本発明は、回転支持部および内側ウェブを含む中心部と、歯が成形された環状のリム部および外側ウェブを含む周辺部とを有し、前記内側ウェブの一部を前記外側ウェブの一部が挟持する歯車を成形するための射出成形金型であって、前記中心部を成形するためのキャビティと、前記周辺部を成形するためのキャビティと、を構成可能な固定側型と可動側型を有し、前記固定側型は、前記内側ウェブの前記一部を成形するためのスライド駒を含み、前記可動側型は、前記外側ウェブの前記一部を成形するための移動駒を含み、前記中心部を成形するためのキャビティを構成する時には、前記スライド駒の底面と前記移動駒の上面を当接させるが、前記スライド駒の底面と前記移動駒の上面は、前記スライド駒のスライド方向に対して傾斜している、ことを特徴とする射出成形金型である。
【手続補正４】
【補正対象書類名】明細書
【補正対象項目名】００２３
【補正方法】変更
【補正の内容】
【００２３】
また、本発明は、歯車の中心部を射出成形するためのキャビティと、前記歯車の周辺部を射出成形するためのキャビティと、を構成可能な固定側型と可動側型を有し、前記固定側型は前記歯車の内側ウェブの一部を成形するためのスライド駒を含み、前記可動側型は前記歯車の外側ウェブの一部を成形するための移動駒を含む射出成形金型を用いた歯車の製造方法であって、前記スライド駒の底面と前記移動駒の上面を前記スライド駒のスライド方向に対して傾斜した面とし、前記スライド駒の底面と前記移動駒の上面を当接させて前記中心部を成形するためのキャビティを構成し、第１のゲートから第１の材料を射出して前記中心部を成形し、前記スライド駒を前記スライド方向にスライドさせて前記スライド駒の底面と前記移動駒の上面を離間させ、前記中心部を保持した状態の前記可動側型を、前記周辺部を成形するためのキャビティを構成する位置に移動させてキャビティを構成し、第２のゲートから第２の材料を射出して前記周辺部を成形する、ことを特徴とする歯車の製造方法である。